(57)【特許請求の範囲】
【請求項１】
米とぎ前の米を貯める米ホッパと、前記米ホッパの下部に設置し、前記米ホッパ内の米を計量する計量部と、前記計量部が計量した米を収納しかつ内部に配設した回転体を回転させ除糠する米とぎ部と、前記米とぎ部の回転体を駆動する駆動装置と、この米とぎ部の内部の米を外部へ排出する開口弁と、前記計量部と前記駆動装置と前記開口弁をＲＯＭに予め記録されている工程プログラムにより制御する制御手段と、米とぎされた米を貯える米受け部と、動作の中断を要求する中断要求手段とを備え、前記制御手段は、前記中断要求手段から中断要求がなければ設定された米量に到達するまで、前記計量部による計量工程と前記米とぎ部による研米工程と前記開口弁による排米工程の各工程を繰り返し実施し、米とぎ運転の途中に中断要求があると前記米とぎ部内の米とぎを完了した後、前記米受け部内に米を排出し、各工程の繰り返し実施を停止し終了するようにした米とぎ器。
【請求項２】
米を収納しかつ内部に配設した回転体を回転させ除糠する米とぎ部と、前記米とぎ部の回転体を駆動する駆動装置と、この米とぎ部の内部の米を外部へ排出する開口弁と、前記駆動装置と前記開口弁をＲＯＭに予め記録されている工程プログラムにより制御する制御手段と、米とぎされた米を貯える米受け部と、動作の中断を要求する中断要求手段と、前記米とぎ部内の米を排出要求する排出要求手段とを備え、前記制御手段は、前記中断要求手段から中断要求があると前記駆動装置を停止し、前記中断要求手段からの中断要求があった後、前記排出要求手段からの排出要求があると前記米とぎ部内の米を前記米受け部に排出するようにした米とぎ器。
【請求項３】
表示動作をする表示手段を備え、前記表示手段は、中断要求手段から中断要求があり、米とぎを完了するまで動作表示部を点灯させるようにした請求項１記載の米とぎ器。
【請求項４】
米を収納しかつ内部に配設した回転体を回転させ除糠する米とぎ部と、前記米とぎ部の回転体を駆動する駆動装置と、この米とぎ部の内部の米を外部へ排出する開口弁と、前記駆動装置と前記開口弁をＲＯＭに予め記録されている工程プログラムにより制御する制御手段と、米とぎされた米を貯える米受け部と、動作の中断を要求する中断要求手段と、前記米受け部を検知する米受け部検知手段を備え、中断要求手段から中断要求があり制御手段が駆動装置の動作を停止し、前記米受け部検知手段が米受け部の出し入れを検知すると、制御手段は米とぎ部内の米を米受け部に排出するようにした米とぎ器。
【請求項５】
報知動作をする報知手段を備え、前記報知手段は、中断要求手段から中断要求があり制御手段による駆動装置の動作の停止が所定時間継続すると報知するようにした請求項２または４記載の米とぎ器。
【請求項６】
制御手段は、中断要求手段から中断要求があり制御手段による駆動装置の動作の停止が所定時間継続すると米とぎの動作を再開するようにした請求項２または４記載の米とぎ器。
【請求項７】
制御手段は、中断要求手段から中断要求があり制御手段による駆動装置の動作の停止が所定時間継続すると米とぎ部内の米を米受け部へ排出するようにした請求項２または４記載の米とぎ器。
【請求項８】
米量を表示する米量表示手段を備え、前記米量表示手段は中断要求手段からの中断要求があると米とぎが完了した米量を表示するようにした請求項１または２記載の米とぎ器。
【発明の詳細な説明】
【０００１】
【発明の属する技術分野】
本発明は、米とぎ部の回転体を回転させて除糠する米とぎ器に関するものである。
【０００２】
【従来の技術】
従来、水を使わず米とぎを行う米とぎ器として、回転体を回転させ除糠するものがある。この種の米とぎ器は、米ホッパ、米とぎ部、糠吸引部、米受け部、操作部、制御装置などで構成されている。
【０００３】
米ホッパはその下部に計量機能を有し、これにより計量された米はさらに下部にある米とぎ部に排出され、米とぎ部内に配設した回転体の羽根部材を回転駆動することで除糠を行い、除糠された米は米とぎ部に設けた精米排出開口を通して、米受け部に排出されるようになっている。また、そのとき除糠された糠は糠吸引部で吸引され、例えば掃除機の紙パックのような容器に貯めるようにしている。
【０００４】
操作部は、電源スイッチや精米量設定スイッチなどのスイッチの他に表示部が設置され、この操作部で設定された内容に従い、制御装置は各種負荷を制御するようにしている。例えば、精米量設定スイッチで設定された合数に達するように、計量、除糠、米排出という一連の作業を繰り返し行うようにしている。
【０００５】
このように米とぎ部で米とぎを行い、米とぎが完了した米は米受け部に排出されるようになっている。
【０００６】
【発明が解決しようとする課題】
しかしながらこのような構成の米とぎ器では、計量や除糠を行っている最中に使用者が運転を取り消した場合、米とぎ部の米とぎが完了していない米が米受け部に強制排出され、米とぎが完了した米の中に米とぎがされていない米が混入してしまうという問題があった。
【０００７】
本発明は上記従来の課題を解決するもので、米とぎの途中で運転を中断されても、米とぎが完了した米の中に米とぎがされていない米が混入するのを防止することを目的としている。
【０００８】
【課題を解決するための手段】
本発明は上記目的を達成するために、米を収納する米とぎ部の内部に配設した回転体を駆動装置により駆動して回転させて除糠し、制御手段により駆動装置を含む負荷を所定の工程に従い制御し、米とぎされた米を米受け部に貯えるよう構成し、制御手段は、動作の中断を要求する中断要求手段から中断要求があると米とぎ部内の米とぎを完了した後、米受け部内に米を排出するようにしたものである。
【０００９】
これにより、米とぎの途中で運転を中断されても、米とぎが完了した米の中に米とぎがされていない米が混入するのを防止することができ、米受け部内の米はすべて米とぎが完了したものとすることができる。
【００１０】
【発明の実施の形態】
本発明の請求項１に記載の発明は、米とぎ前の米を貯める米ホッパと、前記米ホッパの下部に設置し、前記米ホッパ内の米を計量する計量部と、前記計量部が計量した米を収納しかつ内部に配設した回転体を回転させ除糠する米とぎ部と、前記米とぎ部の回転体を駆動する駆動装置と、この米とぎ部の内部の米を外部へ排出する開口弁と、前記計量部と前記駆動装置と前記開口弁をＲＯＭに予め記録されている工程プログラムにより制御する制御手段と、米とぎされた米を貯える米受け部と、動作の中断を要求する中断要求手段とを備え、前記制御手段は、前記中断要求手段から中断要求がなければ設定された米量に到達するまで、前記計量部による計量工程と前記米とぎ部による研米工程と前記開口弁による排米工程の各工程を繰り返し実施し、米とぎ運転の途中に中断要求があると前記米とぎ部内の米とぎを完了した後、前記米受け部内に米を排出し、各工程の繰り返し実施を停止し終了するようにしたので、米とぎが完了した米の中に米とぎがされていない米が混入するのを防止することができ、米受け部内の米はすべて米とぎが完了したものとすることができる。
【００１１】
請求項２に記載の発明は、米を収納しかつ内部に配設した回転体を回転させ除糠する米とぎ部と、前記米とぎ部の回転体を駆動する駆動装置と、この米とぎ部の内部の米を外部へ排出する開口弁と、前記駆動装置と前記開口弁をＲＯＭに予め記録されている工程プログラムにより制御する制御手段と、米とぎされた米を貯える米受け部と、動作の中断を要求する中断要求手段と、前記米とぎ部内の米を排出要求する排出要求手段とを備え、前記制御手段は、前記中断要求手段から中断要求があると前記駆動装置を停止し、前記中断要求手段からの中断要求があった後、前記排出要求手段からの排出要求があると前記米とぎ部内の米を前記米受け部に排出するようにしたので、中断要求手段を使って米とぎの中断を要求し動作を停止した後、使用者が米受け部内の米を取り出し、中断要求手段を使った後のみ排出要求手段を使うことができ、米受け部内に米とぎが完了していない米を排出でき、米とぎが完了している米と完了していない米を別々に取り出すことができる。
【００１２】
請求項３に記載の発明は、上記請求項１に記載の発明において、表示動作をする表示手段を備え、前記表示手段は、中断要求手段から中断要求があり、米とぎを完了するまで動作表示部を点灯させるようにしたものであり、使用者は中断要求を行っても米とぎ器がしばらく動きつづける理由を認知することができる。
【００１３】
請求項４に記載の発明は、米を収納しかつ内部に配設した回転体を回転させ除糠する米とぎ部と、前記米とぎ部の回転体を駆動する駆動装置と、この米とぎ部の内部の米を外部へ排出する開口弁と、前記駆動装置と前記開口弁をＲＯＭに予め記録されている工程プログラムにより制御する制御手段と、米とぎされた米を貯える米受け部と、動作の中断を要求する中断要求手段と、前記米受け部を検知する米受け部検知手段を備え、中断要求手段から中断要求があり制御手段が駆動装置の動作を停止し、前記米受け部検知手段が米受け部の出し入れを検知すると、制御手段は米とぎ部内の米を米受け部に排出するようにしたものであり、中断要求手段を使って米とぎの中断を要求し動作を停止した後、使用者が米受け部内の米を取り出し、排出要求手段を使うことにより、米受け部内に米とぎが完了していない米を排出でき、米とぎが完了している米と完了していない米を別々に取り出すことができる。
【００１４】
請求項５に記載の発明は、上記請求項２または４に記載の発明において、報知動作をする報知手段を備え、前記報知手段は、中断要求手段から中断要求があり制御手段による駆動装置の動作の停止が所定時間継続すると報知するようにしたものであり、中断要求手段を使って米とぎの中断を要求し動作を停止した後、使用者が米受け部内の米を取り出すことを忘れていると、報知手段がそのことを報知するので、そのことを知らせることができる。
【００１５】
請求項６に記載の発明は、上記請求項２または４に記載の発明において、制御手段は、中断要求手段から中断要求があり制御手段による駆動装置の動作の停止が所定時間継続すると米とぎの動作を再開するようにしたものであり、中断要求手段を使って米とぎの中断を要求し動作を停止した後、使用者が米受け部内の米を取り出すことを忘れていると、制御手段は以前の動作を再開し、米とぎをつづけることにより、米とぎ部内の米の排出忘れを防止できる。
【００１６】
請求項７に記載の発明は、上記請求項２または４に記載の発明において、制御手段は、中断要求手段から中断要求があり制御手段による駆動装置の動作の停止が所定時間継続すると米とぎ部内の米を米受け部へ排出するようにしたものであり、中断要求手段を使って米とぎの中断を要求し動作を停止した後、使用者が米受け部内の米を取り出し再セットするだけで、所定時間経過した後米とぎ部内の米を排出することで、米とぎ部内の米を自動で排出することができる。
【００１７】
請求項８に記載の発明は、上記請求項１または２に記載の発明において、米量を表示する米量表示手段を備え、前記米量表示手段は中断要求手段からの中断要求があると米とぎが完了した米量を表示するようにしたものであり、米とぎを途中で中断したとき、米とぎが完了した米量を表示するので、使用者は中断までにどれだけの米の米とぎが完了したか認知できる。
【００１８】
【実施例】
以下、本発明の実施例について、図面を参照しながら説明する。
【００１９】
（実施例１）
図２および図３に示すように、米とぎ器本体１は、米ホッパ２、計量部３、米とぎ部４、駆動装置５０、米糠吸引部５、開口部４０、米受け部６、制御手段７などを有している。
【００２０】
米ホッパ２は、米とぎ前の米を貯めるものであり、その底部は傾斜加工され、下部に配置した計量部３に米が集まるように配置している。計量部３は、図４に示すように、計量升９を上計量蓋８と下計量蓋１０で挟むように配置し、計量モータ１２を駆動するとギア１１を通して計量升９を回転する構成になっている。
【００２１】
上計量蓋８には、図５に示すように、米供給口８ａを２箇所設けている。さらに計量升９には、図６（ａ）に示すように、升部９ａを４箇所と非升部９ｅを４箇所設けており、下計量蓋１０に、図６（ｂ）に示すように、スリット１０ａを２箇所設けている。
【００２２】
米供給口８ａとスリット１０ａとを互いに垂直になるように上計量蓋８と下計量蓋１０を配置しているので、間に挟まれる計量升９が回転すると、米供給口８ａの下に升部９ａが来るとその中に米ホッパ２からの米が供給され、逆に、非升部９ｅが来ると米の供給が遮断される。そしてスリット１０ａ上に升部９ａが来ると升部９ａ内の米はスリット１０ａを通して下部に落下するように構成している。ここで、例えば升部９ａの体積を０．５合の１／８になるようにしておくと、計量升９が一回転するとき升部９ａは米供給口８ａとスリット１０ａ上をそれぞれ２回通過するので、０．５合の計量を行うことができる。
【００２３】
米とぎ部４は、図４に示すように、小さな孔を有する除糠内容器１３、除糠外容器１４、羽根部材１５、回転軸１６などを有している。除糠内容器１３は計量部３により計量された米を受ける部分であり、この内部には回転体である羽根部材１５と回転軸１６を配設している。羽根部材１５は回転軸１６に取り付けており、回転軸１６が回転するとき羽根部材１５も回転する。
【００２４】
除糠内容器１３は小さな孔を有しているので、この羽根部材１５が回転するとき、内部に貯められた米は攪拌され、その表面に付着している糠は除去されて除糠内容器１３外へ排出される。除糠内容器１３外には除糠外容器１４があるので、除糠内容器１３の糠はこの除糠外容器１４に排出される。
【００２５】
駆動装置５０は整流子モータであり、ベルトやプーリーを介して回転軸１６を回転駆動する。また、この駆動装置５０は、米糠吸引部５の吸引モータも兼用している。
【００２６】
米糠吸引部５は、除糠外容器１４に排出された糠を吸引し貯める役割をする。具体的には、除糠外容器１４に排出口を設け、その排出口から真空吸引を行い、除糠外容器１４内から糠を排出し、それを掃除機で使うような紙パックに通し、糠を貯めていく。
【００２７】
開口部４０は、除糠内容器１３に取り付けており、図４の開口弁１７とその開閉を行うソレイノイド１８により構成している。羽根部材１５を回転していて、この開口弁１７が閉じている場合、前述の通り米の除糠を行うが、開いている場合、内部の米は遠心力で外側に集まるので除糠内容器１３外へと排出される。米受け部６は、開口部４０から排出される米を貯める容器である。
【００２８】
制御手段７は、発光ダイオードなどの表示部や操作スイッチを有するもので、使用者はこの操作スイッチを操作することにより、マイクロコンピュータに信号を与え、マイクロコンピュータは予め設定されている工程プログラムにより、駆動装置５０などの負荷を制御するようにしている。
【００２９】
この制御手段７は、図１に示すように構成しており、直流電源７１は交流電源７２と片側が共通になるように接続している。駆動装置５０は上述した通り整流子モータであり、双方向性サイリスタ７３でオン、オフ制御している。さらに、この双方向性サイリスタ７３はゲート抵抗７３ａ、トランジスタ７３ｂを介してマイクロコンピュータ７７により制御されている。ソレイノイド１８の制御も同様に、双方向サイリスタ７４とそれを制御するゲート抵抗７４ａ、トランジスタ７４ｂを介してマイクロコンピュータ７７により制御されている。
【００３０】
スタートスイッチ７５は、この米とぎ器の運転の開始を要求するスイッチである。マイクロコンピュータ７７はこのスタートスイッチ７５の要求信号を受け、内部のＲＯＭに予め記録されている工程プログラムを実施し、トランジスタ７３ｂやトランジスタ７４ｂを制御し、駆動装置５０やソレイノイド１８をオン、オフさせる。中断スイッチ７６は、中断要求手段を構成するもので、運転の中断を要求するスイッチである。
【００３１】
ここで、制御手段７は、中断スイッチ７６から中断要求があると、米とぎ部４内の米とぎを完了した後、米受け部６内に米を排出するよう構成している。
【００３２】
上記構成において、５合の米とぎ運転の途中で中断する例について、図７のフローチャートを参照しながら動作を説明する。ステップＳ１で使用者がスタートスイッチ７５を操作して運転の開始を要求する。ステップＳ２は計量工程で計量部３を動作させて計量を行う。ここでは、例えば計量升９を２回転させて１合の計量を行うこととする。そして計量が終わるとステップＳ３で駆動装置５０を駆動させ、米とぎを行う研米工程を開始する。
【００３３】
ステップＳ４では中断スイッチ７６の入力を行い、中断要求があるか判定し、要求がなければステップＳ５ａへ進み、所定時間が経過し研米工程が完了したかどうかの判定を行い、完了していなければステップＳ４へ戻り、完了していればステップＳ６ａに進む。ステップＳ６ａは排米工程で、ソレイノイド１８を駆動して米を米受け部６へ排出する。そして、ステップＳ７で５合分の米とぎが完了したかの判定を行い、完了していなければステップＳ２へと戻り、完了していれば運転を終了する。
【００３４】
ステップＳ４で中断要求があればステップＳ５ｂへ進み、ステップ５ａと同様に所定時間が経過し研米工程が完了したかどうかの判定を行い、完了していなければ、ステップＳ５ｂへ戻り、完了していればステップＳ６ｂへ進む。ステップＳ６ｂはステップＳ６ａと同様に排米工程であり、ソレイノイド１８を駆動させ、米を米受け部６へ排出する。そして、ステップＳ６ａの後では、ステップＳ７の米とぎが完了したかどうかの判定を行うのに対し、ステップＳ６ｂはここで強制的に運転を終了する。
【００３５】
このように中断スイッチ７６による中断要求がなければ、５合の米とぎが完了するまで、計量工程、研米工程、排米工程を繰り返し実施し、研米工程の最中に中断要求があれば、米とぎ部４内の米とぎを完了した後、米受け部６内に米を排出するので、途中で中断されても、米受け部６内の米はすべて米とぎが完了したものとすることができる。
【００３６】
なお、本実施例では、米とぎを行う研米工程でのみ中断要求を受け付ける例を挙げたが、米の計量を行う計量工程の途中や、米の排出を行う排米工程の途中で中断要求を受け付けても、もちろんかまわない。
【００３７】
（実施例２）
図１に示す制御手段７は、中断スイッチ７６から中断要求があると駆動装置５０などの負荷の動作を停止し、制御を禁止するように構成している。他の構成は上記実施例１と同じである。
【００３８】
上記構成において５合の米とぎ運転の途中で中断する例について、図８のフローチャートを参照しながら動作を説明する。ステップＳ１で使用者がスタートスイッチ７５を操作して運転の開始を要求する。ステップＳ２は計量工程で計量部３を動作させて計量を行う。例えば、ここでは計量升９を２回転させて１合の計量を行うこととする。そして計量が終わるとステップＳ３で駆動装置５０を駆動させ、米とぎを行う研米工程を開始する。
【００３９】
ステップＳ４で中断スイッチ７６の入力を判定し、中断要求があるか判定し、要求がなければステップＳ５ａに進む。ステップＳ５ａでは所定時間が経過し研米工程が完了したかどうかの判定を行い、完了していなければステップＳ４へ戻り、完了していればステップＳ６ａに進む。ステップＳ６ａは排米工程で、ソレイノイド１８を駆動させ、米を米受け部６へ排出する。そして、ステップＳ７で５合分の米とぎが完了したかの判定を行い、完了していなければステップＳ２へと戻り、完了していれば運転を終了する。
【００４０】
ステップＳ４で中断要求があれば、ステップＳ８へ進み、駆動装置５０を停止する。そして、駆動装置５０、ソレイノイド１８の制御を行わず、運転を終了する。
【００４１】
このように使用者が中断スイッチ７６を使って米とぎの中断を要求すると、制御手段７は駆動装置５０やソレイノイド１８の負荷の動作を停止し、制御を禁止するので、米とぎ部４の米の排出が行われることがなく、米とぎが完了した米が貯えられている米受け部６内に米とぎがされていない米が混入するのを防止することができる。
【００４２】
なお、本実施例では、米とぎを行う研米工程でのみ中断要求を受け付ける例を挙げたが、米の計量を行う計量工程の途中や、米の排出を行う排米工程の途中で中断要求を受け付けても、もちろんかまわない。
【００４３】
（実施例３）
図１に示すように、動作表示部（表示手段）７８は中断スイッチ７６から中断要求があり、米とぎを完了するまで表示するものである。他の構成は上記実施例１と同じである。
【００４４】
上記構成において５合の米とぎ運転の途中で中断する例について、図９のフローチャートを参照しながら動作を説明する。なお、ステップＳ１からステップＳ７までの動作は上記実施例１の動作と同じであるので説明を省略する。
【００４５】
ステップＳ４で中断スイッチ７６の入力を判定し、中断要求があれば、ステップＳ９で動作表示部７８を点灯させ、ステップＳ６ａを行って運転を終了する前にステップＳ１０で動作表示部７８を消灯する。
【００４６】
このように、動作表示部７８が中断を行い終了するまで点灯するので、使用者は動作表示部７８を確認することにより中断要求を行っても、米とぎ器がしばらく動き続ける理由を認知することができる。
【００４７】
なお、本実施例では、中断要求が発生した後に動作表示部７８を点灯させているが、これは運転開始直後から点灯させ、運転が終了するときに消灯する構成にしてもかまわない。要は、米とぎ部４に米が残っており、動作を継続していることを使用者に知らせる構成であればよい。
【００４８】
（実施例４）
図１に示すように、排出スイッチ（排出要求手段）７９は米とぎ部４内の米を米受け部６に排出する排出要求をするもので、この排出スイッチ７９からの排出要求があると、米とぎ部４内の米を米受け部６に排出するように構成している。他の構成は上記実施例１と同じである。
【００４９】
上記構成において５合の米とぎ運転の途中で中断する例について、図１０のフローチャートを参照しながら動作を説明する。なお、スップＳ１からステップＳ８までの動作は上記実施例２の動作と同じであるので説明を省略する。
【００５０】
ステップ８で駆動装置５０の停止を行った後、ステップＳ１１に進み排出スイッチ７９の入力による排出要求の有無を判定する。ステップＳ１１で排出要求があれば、ステップＳ６ｃに進み、なければステップＳ１１へと戻る。ステップＳ６ｃはステップＳ６ａと同様で排米工程であり、ソレイノイド１８を駆動させ、米を米受け部６へ排出させ、運転を終了する。
【００５１】
このように、中断スイッチ７６を使って米とぎの中断を要求し動作を停止した後、使用者が米受け部６内の米を取り出し、排出スイッチ７９を操作することにより、米受け部６内に米とぎが完了していない米を排出でき、米とぎが完了している米と完了していない米を別々に取り出すことができる。
【００５２】
（実施例５）
図１に示すように、米受け部検知スイッチ（米受け部検知手段）８０は米受け部６の近傍に配置し、米受け部６を引き出しているときにオフ、セットしているときにオンの状態になるもので、このオン、オフを検知し米受け部６の出し入れを判定するものである。中断スイッチ７６から中断要求があり、制御手段７の動作の停止中に、米受け部検知スイッチ８０が米受け部６の出し入れを検知すると、制御手段７は米とぎ部４内の米を米受け部６に排出するように構成している。他の構成は上記実施例１と同じである。
【００５３】
上記構成において５合の米とぎ運転の途中で中断する例について、図１１のフローチャートを参照しながら動作を説明する。なお、ステップＳ１からステップＳ８までの動作は上記実施例２の動作と同じであるので説明を省略する。
【００５４】
ステップ８で駆動装置５０の停止を行った後、ステップＳ１２に進み、米受け部６の出し入れの判定を行う。ステップＳ１２で米受け部６の出し入れがあれば、ステップＳ６ｃに進み、なければステップＳ１２へと戻る。ステップＳ６ｃはステップＳ６ａと同様で排米工程であり、ソレイノイド１８を駆動させ、米を米受け部６へ排出させ、運転を終了する。
【００５５】
このように、中断スイッチ７６を使って米とぎの中断を要求し、動作を停止した後、使用者が米受け部６内の米を取り出し、米受け部６を再びセットするだけで、自動的に米受け部６内に米とぎが完了していない米を排出でき、米とぎが完了している米と完了していない米を別々に取り出すことができる。
【００５６】
（実施例６）
図１に示すように、ブザー（報知手段）８１は、中断要求後、制御手段７の動作の停止が所定時間継続すると、そのことを報知するようにしている。他の構成は上記実施例１と同じである。
【００５７】
上記構成において５合の米とぎ運転の途中で中断する例について、図１２のフローチャートを参照しながら動作を説明する。なお、ステップＳ１からステップＳ１２までの動作は上記実施例５の動作と同じであるので説明を省略する。
【００５８】
ステップＳ８で駆動装置５０の停止を行った後、ステップＳ１３へ進み、時間計時用のタイマをクリアし、同時にこのタイマで計時を開始する。ステップＳ１４で所定時間（例えば１０分）が経過したかの判定を行い、経過していなければステップＳ１２へ進み、経過していればステップＳ１５へ進み、ブザー８１を鳴動させ報知を行い、ステップＳ１２へ進む。ステップＳ１２では、米受け部６の出し入れの判定を行い、米受け部６の出し入れがあれば、ステップＳ６ｃに進み、なければステップＳ１３へと戻る。
【００５９】
このように、中断スイッチ７６を使って米とぎの中断を要求し、動作を停止した後、使用者が米受け部６内の米を取り出すことを忘れて所定時間（１０分）経過すると、ブザー８１により報知するので、取り出し忘れを知らせることができる。
【００６０】
なお、本実施例では、報知手段としてブザー８１を用いたが、これは発光ダイオードなどでもよく、要は米の取り出し忘れを使用者に知らせることができる構成であればよい。
【００６１】
（実施例７）
図１に示す制御手段７は、中断スイッチ７６から中断要求があり、制御手段７の動作の停止が所定時間継続すると米とぎの動作を再開するように構成している。他の構成は上記実施例１と同じである。
【００６２】
上記構成において５合の米とぎ運転の途中で中断する例について、図１３のフローチャートを参照しながら動作を説明する。なお、ステップＳ１からステップＳ１２までの動作は上記実施例５の動作と同じであるので説明を省略する。
【００６３】
ステップＳ８で駆動装置５０の停止を行った後、ステップＳ１３へ進み、時間計時用のタイマをクリアし、同時にこのタイマで計時を開始する。ステップＳ１４で所定時間（例えば１０分）が経過したかの判定を行い、経過していなければ、ステップＳ１２に進み、経過していればステップＳ５へと戻り、中断要求前の動作を継続する。
【００６４】
このように、中断スイッチ７６を使って米とぎの中断を要求し、動作を停止した後、使用者が米受け部６内の米を取り出すことを忘れて所定時間（１０分）が経過すると、制御手段７は中断以前の動作を再開し、米とぎをつづけることにより、米とぎ部４内の米の排出忘れを防止できる。
【００６５】
（実施例８）
図１に示す制御手段７は、中断スイッチ７６から中断要求があり、制御手段７の動作の停止が所定時間継続すると米とぎ部４内の米を排出するように構成している。他の構成は上記実施例１と同じである。
【００６６】
上記構成において５合の米とぎ運転の途中で中断する例について、図１４のフローチャートを参照しながら動作を説明する。なお、ステップＳ１からステップＳ１１までの動作は上記実施例４の動作と同じであるので説明を省略する。
【００６７】
ステップＳ８で駆動装置５０の停止を行った後、ステップＳ１３へ進み、時間計時用のタイマをクリアし、同時にこのタイマで計時を開始する。ステップＳ１４で所定時間（例えば１０分）が経過したかの判定を行い、経過していなければ、ステップＳ１１に進み、経過していればステップＳ６ｃへと進み、排米工程を実施する。
【００６８】
このように、中断スイッチ７６を使って米とぎの中断を要求し、動作を停止した後、使用者が米受け部６内の米を取り出し、排出スイッチ７９を操作することを忘れて所定時間（１０分）が経過すると、制御手段７は排米工程へ進み、米とぎ部４内の米の排出忘れを防止できる。
【００６９】
（実施例９）
図１に示すように、米量表示部（米量表示手段）８２は７セグメント表示素子であり、米量を１合単位で表示できるもので、中断スイッチ７６からの中断要求があると米とぎが完了した米量を表示するように構成している。他の構成は上記実施例１と同じである。
【００７０】
上記構成において５合の米とぎ運転の途中で中断する例について、図１２のフローチャートを参照しながら動作を説明する。なお、ステップＳ１からステップＳ８までの動作は上記実施例２の動作と同じであるので説明を省略する。
【００７１】
ステップＳ４で中断スイッチ７６の入力を判定し、中断要求があれば、ステップＳ１６で制御手段７は米とぎが完了した米量を計算し、つづくステップＳ１７でそれを米量表示部８２に表示する。
【００７２】
このように、中断スイッチ７６からの中断要求があると、米とぎを途中で中断したとき、米とぎが完了した米量を表示するので、使用者は中断までにどれだけの米の米とぎが完了したか認知できる。本実施例では、５合の米とぎを１合単位で行っており、例えば２合の米とぎが完了した時点で、中断要求がされると、その２合という米量を米量表示部子８２に表示する。
【００７３】
なお、本実施例では、中断要求があった直後に米とぎが完了した米量を計算し表示しているが、これは運転が終了した後でもかまわない。要は、米受け部６内に排出される米とぎが完了した米量を算出し、表示できる構成であればよい。
【００７４】
【発明の効果】
以上のように本発明の請求項１に記載の発明によれば、米とぎ前の米を貯める米ホッパと、前記米ホッパの下部に設置し、前記米ホッパ内の米を計量する計量部と、前記計量部が計量した米を収納しかつ内部に配設した回転体を回転させ除糠する米とぎ部と、前記米とぎ部の回転体を駆動する駆動装置と、この米とぎ部の内部の米を外部へ排出する開口弁と、前記計量部と前記駆動装置と前記開口弁をＲＯＭに予め記録されている工程プログラムにより制御する制御手段と、米とぎされた米を貯える米受け部と、動作の中断を要求する中断要求手段とを備え、前記制御手段は、前記中断要求手段から中断要求がなければ設定された米量に到達するまで、前記計量部による計量工程と前記米とぎ部による研米工程と前記開口弁による排米工程の各工程を繰り返し実施し、米とぎ運転の途中に中断要求があると前記米とぎ部内の米とぎを完了した後、前記米受け部内に米を排出し、各工程の繰り返し実施を停止し終了するようにしたから、使用者が米とぎ運転の中断を要求すると、米とぎ部内の米とぎを完了した後、米受け部内に米を排出するので、米受け部内の米はすべて米とぎが完了したものとすることができる。
【００７５】
また、請求項２に記載の発明によれば、米を収納しかつ内部に配設した回転体を回転させ除糠する米とぎ部と、前記米とぎ部の回転体を駆動する駆動装置と、この米とぎ部の内部の米を外部へ排出する開口弁と、前記駆動装置と前記開口弁をＲＯＭに予め記録されている工程プログラムにより制御する制御手段と、米とぎされた米を貯える米受け部と、動作の中断を要求する中断要求手段と、前記米とぎ部内の米を排出要求する排出要求手段とを備え、前記制御手段は、前記中断要求手段から中断要求があると前記駆動装置を停止し、前記中断要求手段からの中断要求があった後、前記排出要求手段からの排出要求があると前記米とぎ部内の米を前記米受け部に排出するようにしたから、使用者が米受け部内の米を取り出し、その後排出要求を行うことで、米受け部内に米とぎが完了していない米を排出でき、米とぎが完了している米と完了していない米を別々に取り出すことができ、米とぎが完了した米が貯えられている米受け部内に米とぎがされていない米が混入することを防止することができる。
【００７６】
また、請求項３に記載の発明によれば、表示動作をする表示手段を備え、前記表示手段は、中断要求手段から中断要求があり、米とぎを完了するまで動作表示部を点灯させるようにしたから、使用者は中断要求を行っても米とぎ器がしばらく動きつづける理由を認知する。
【００７７】
また、請求項４に記載の発明によれば、米を収納しかつ内部に配設した回転体を回転させ除糠する米とぎ部と、前記米とぎ部の回転体を駆動する駆動装置と、この米とぎ部の内部の米を外部へ排出する開口弁と、前記駆動装置と前記開口弁をＲＯＭに予め記録されている工程プログラムにより制御する制御手段と、米とぎされた米を貯える米受け部と、動作の中断を要求する中断要求手段と、前記米受け部を検知する米受け部検知手段を備え、中断要求手段から中断要求があり制御手段が駆動装置の動作を停止し、前記米受け部検知手段が米受け部の出し入れを検知すると、制御手段は米とぎ部内の米を米受け部に排出するようにしたから、中断要求手段を使って米とぎの中断を要求し動作を停止した後、使用者が米受け部内の米を取り出し、米受け部を再びセットするだけで、自動的に米受け部内に米とぎが完了していない米を排出でき、米とぎが完了している米と完了していない米を別々に取り出すことができる。
【００７８】
また、請求項５に記載の発明によれば、報知動作をする報知手段を備え、前記報知手段は、中断要求手段から中断要求があり制御手段による駆動装置の動作の停止が所定時間継続すると報知するようにしたから、米とぎの中断を要求し動作を停止した後、使用者が米受け部内の米を取り出すことを忘れていると、報知手段がそのことを報知するので、そのことを知らせることができる。
【００７９】
また、請求項６に記載の発明によれば、制御手段は、中断要求手段から中断要求があり制御手段による駆動装置の動作の停止が所定時間継続すると米とぎの動作を再開するようにしたから、米とぎの中断を要求し動作を停止した後、使用者が米受け部内の米を取り出すことを忘れていると、中断以前の動作を再開し、米とぎをつづけることにより、米とぎ部内の米の排出忘れを防止できる。
【００８０】
また、請求項７に記載の発明によれば、制御手段は、中断要求手段から中断要求があり制御手段による駆動装置の動作の停止が所定時間継続すると米とぎ部内の米を米受け部へ排出するようにしたから、米とぎの中断を要求し動作を停止した後、使用者が米受け部内の米を取り出し再セットするだけで、所定時間経過した後米とぎ部内の米を排出することで、米とぎ部内の米を自動で排出することができる。
【００８１】
また、請求項８に記載の発明によれば、米量を表示する米量表示手段を備え、前記米量表示手段は中断要求手段からの中断要求があると米とぎが完了した米量を表示するようにしたから、米とぎを途中で中断したとき、米とぎが完了した米量を表示するので、使用者は中断までにどれだけの米の米とぎが完了したか認知することができる。
【図面の簡単な説明】
【図１】  本発明の第１の実施例の米とぎ器の要部回路図
【図２】  同米とぎ器の断面図
【図３】  同米とぎ器の正面図
【図４】  同米とぎ器の要部拡大断面図
【図５】  同米とぎ器の上計量蓋の平面図
【図６】  （ａ）同米とぎ器の計量升の斜視図
（ｂ）同米とぎ器の下計量蓋の斜視図
【図７】  同米とぎ器の動作フローチャート
【図８】  本発明の第２の実施例の米とぎ器の動作フローチャート
【図９】  本発明の第３の実施例の米とぎ器の動作フローチャート
【図１０】  本発明の第４の実施例の米とぎ器の動作フローチャート
【図１１】  本発明の第５の実施例の米とぎ器の動作フローチャート
【図１２】  本発明の第６の実施例の米とぎ器の動作フローチャート
【図１３】  本発明の第７の実施例の米とぎ器の動作フローチャート
【図１４】  本発明の第８の実施例の米とぎ器の動作フローチャート
【図１５】  本発明の第９の実施例の米とぎ器の動作フローチャート
【符号の説明】
４  米とぎ部
６  米受け部
７  制御手段
５０  駆動装置
７６  中断スイッチ（中断要求手段）
【図１】
0003991653.tif 000002
【図２】
0003991653.tif 000003
【図３】
0003991653.tif 000004
【図４】
0003991653.tif 000005
【図５】
0003991653.tif 000006
【図６】
0003991653.tif 000007
【図７】
0003991653.tif 000008
【図８】
0003991653.tif 000009
【図９】
0003991653.tif 000010
【図１０】
0003991653.tif 000011
【図１１】
0003991653.tif 000012
【図１２】
0003991653.tif 000013
【図１３】
0003991653.tif 000014
【図１４】
0003991653.tif 000015
【図１５】
0003991653.tif 000016